(57)【要約】【課題】  本発明は、オペレータの作業効率を格段と向上することができる情報送出装置、情報送出方法、プログラム及び記録媒体並びに表示制御装置及び表示方法を実現しようとするものである。【解決手段】  複数の撮影手段から被写体の撮影結果として得られる各映像音声素材を蓄積し、必要に応じて送出する情報送出装置及び方法において、各撮影手段の撮影結果でなる映像音声素材にそれぞれ共通のアドレスを割り当てておき、当該アドレスに従って各撮影手段ごとに対応する映像音声素材をそれぞれ蓄積する。そして特定の撮影手段に対応する映像音声素材を読み出したとき、当該映像音声素材と同一時間に撮影された特定の撮影手段以外の他の撮影手段に対応する映像音声素材を検索するようにした。【選択図】        図２
2005341064.tif 000002
【特許請求の範囲】
【請求項１】
複数の撮影手段から被写体の撮影結果として得られる各映像音声素材を蓄積し、必要に応じて送出する情報送出装置において、
各上記撮影手段の撮影結果でなる上記映像音声素材にそれぞれ共通のアドレスを割り当てておき、当該アドレスに従って各上記撮影手段ごとに対応する上記映像音声素材をそれぞれ蓄積する蓄積手段と、
上記蓄積手段から特定の上記撮影手段に対応する上記映像音声素材を読み出したとき、当該映像音声素材と同一時間に撮影された上記特定の撮影手段以外の他の上記撮影手段に対応する上記映像音声素材を検索する検索手段と
を具えることを特徴とする情報送出装置。
【請求項２】
各上記撮影手段ごとに対応する上記映像音声素材に付加される付加情報に基づいて、当該各撮影手段同士の相対的な位置関係及び時間関係を認識する認識手段
を具え、
上記蓄積手段は、上記認識手段により認識された各上記撮影手段同士の相対的な位置関係及び時間関係を、各上記撮影手段ごとに対応する上記映像音声素材にそれぞれ付加して蓄積する
ことを特徴とする請求項１に記載の情報送出装置。
【請求項３】
各上記撮像手段において測定された当該各撮影手段の現在位置を、特定の上記撮影手段又は上記被写体を基準となる相対位置に変換する変換手段と
を具えることを特徴とする請求項２に記載の情報送出装置。
【請求項４】
複数の撮影手段から被写体の撮影結果として得られる各映像音声素材を蓄積し、必要に応じて送出する情報送出方法において、
各上記撮影手段の撮影結果でなる上記映像音声素材にそれぞれ共通のアドレスを割り当てておき、当該アドレスに従って各上記撮影手段ごとに対応する上記映像音声素材をそれぞれ蓄積する第１のステップと、
特定の上記撮影手段に対応する上記映像音声素材を読み出したとき、当該映像音声素材と同一時間に撮影された上記特定の撮影手段以外の他の上記撮影手段に対応する上記映像音声素材を検索する第２のステップと
を具えることを特徴とする情報送出方法。
【請求項５】
上記第１のステップでは、
各上記撮影手段ごとに対応する上記映像音声素材に付加される付加情報に基づいて、当該各撮影手段同士の相対的な位置関係及び時間関係を認識しておき、当該認識された各上記撮影手段同士の相対的な位置関係及び時間関係を、各上記撮影手段ごとに対応する上記映像音声素材にそれぞれ付加して蓄積する
ことを特徴とする請求項４に記載の情報送出方法。
【請求項６】
上記第１のステップでは、
各上記撮像手段において測定された当該各撮影手段の現在位置を、特定の上記撮影手段又は上記被写体を基準となる相対位置に変換する
ことを特徴とする請求項５に記載の情報送出方法。
【請求項７】
複数の撮影手段から被写体の撮影結果として得られる各映像音声素材にそれぞれ共通のアドレスを割り当てておき、当該アドレスに従って各上記撮影手段ごとに対応する上記映像音声素材をそれぞれ蓄積する第１のステップと、
特定の上記撮影手段に対応する上記映像音声素材を読み出したとき、当該映像音声素材と同一時間に撮影された上記特定の撮影手段以外の他の上記撮影手段に対応する上記映像音声素材を検索する第２のステップと
をコンピュータに実行させるためのプログラム。
【請求項８】
複数の撮影手段から被写体の撮影結果として得られる各映像音声素材にそれぞれ共通のアドレスを割り当てておき、当該アドレスに従って各上記撮影手段ごとに対応する上記映像音声素材をそれぞれ蓄積する第１のステップと、
特定の上記撮影手段に対応する上記映像音声素材を読み出したとき、当該映像音声素材と同一時間に撮影された上記特定の撮影手段以外の他の上記撮影手段に対応する上記映像音声素材を検索する第２のステップと
を実行させるためのプログラムを記録したコンピュータ読み取り可能な記録媒体。
【請求項９】
複数の撮影手段から被写体の撮影結果として得られる各映像音声素材を蓄積し、必要に応じて送出する情報送出装置において、
各上記撮影手段を主従関係を持たせた状態でグループ化しておき、当該各撮影手段同士をリンクさせるためのアドレス情報を含む付加情報がそれぞれ付加された各上記映像音声素材を入力する入力手段と、
上記入力手段により入力された上記映像音声素材から上記付加情報を取得する取得手段と、
上記入力手段により入力された上記映像音声素材と上記取得手段により取得された当該映像音声素材に対応する上記付加情報とを、当該付加情報に基づいて記憶する記憶手段と、
特定の上記撮影手段に対応する上記映像音声素材を上記記憶手段から読み出した場合、当該読み出された映像音声素材にリンクする上記映像音声素材を自動的に検索する検索手段と、
上記検索手段により検索された上記映像音声素材を出力する出力手段と
を具えることを特徴とする情報送出装置。
【請求項１０】
上記主従関係は、１つのマスタと複数のスレイブとからなる
ことを特徴とする請求項９に記載の情報送出装置。
【請求項１１】
各上記映像音声素材に付加される上記付加情報は、それぞれ対応する上記撮影手段が撮影する際の時間情報及び位置情報を含むと共に、当該各時間情報は、対応する各上記撮像手段同士で一致させるように設定され、
上記取得手段により各上記映像音声素材からそれぞれ取得された上記付加情報に基づいて、当該各映像音声素材に対応する各上記撮像手段同士の相対位置関係及び相対時間関係を認識する認識手段
を具え、
上記記憶手段は、
上記認識手段により認識された各上記撮影手段同士の上記相対位置関係及び上記相対時間関係を、各上記撮影手段に対応する上記映像音声素材にそれぞれ付加して記憶する
ことを特徴とする請求項９に記載の情報送出装置。
【請求項１２】
複数の撮影手段から被写体の撮影結果として得られる各映像音声素材を表示する表示制御装置において、
各上記撮影手段を主従関係を持たせた状態でグループ化しておき、当該各撮影手段同士をリンクさせるためのアドレス情報を含む付加情報がそれぞれ付加された各上記映像音声素材から当該付加情報をそれぞれ取得する取得手段と、
上記取得手段により取得された各上記付加情報に基づいて、対応する各上記映像音声素材を連動させる状態で表示させる表示制御手段と
を具えることを特徴とする表示制御装置。
【請求項１３】
各上記映像音声素材に付加される上記付加情報は、それぞれ対応する上記撮影手段が撮影する際の時間情報及び位置情報を含み、
上記取得手段により各上記映像音声素材からそれぞれ取得された上記付加情報に基づいて、当該各映像音声素材に対応する各上記撮像手段同士の相対位置関係及び相対時間関係を認識する認識手段
を具え、
上記表示制御手段は、
上記認識手段により認識された相対位置関係及び相対時間関係に基づいて、各上記映像音声素材を選択的に表示させる
ことを特徴とする請求項１２に記載の表示制御装置。
【請求項１４】
複数の撮影手段から被写体の撮影結果として得られる各映像音声素材を表示する表示方法において、
各上記撮影手段を主従関係を持たせた状態でグループ化しておき、当該各撮影手段同士をリンクさせるためのアドレス情報を含む付加情報がそれぞれ付加された各上記映像音声素材から当該付加情報をそれぞれ取得する第１のステップと、
上記取得された各上記付加情報に基づいて、対応する各上記映像音声素材を連動させる状態で表示させる第２のステップと
を具えることを特徴とする表示方法。
【請求項１５】
各上記映像音声素材に付加される上記付加情報は、それぞれ対応する上記撮影手段が撮影する際の時間情報及び位置情報を含み、
上記第１のステップでは、
各上記映像音声素材からそれぞれ取得された上記付加情報に基づいて、当該各映像音声素材に対応する各上記撮像手段同士の相対位置関係及び相対時間関係を認識し、
上記第２のステップでは、
上記認識された相対位置関係及び相対時間関係に基づいて、各上記映像音声素材を選択的に表示させる
ことを特徴とする請求項１４に記載の表示方法。
【発明の詳細な説明】
【技術分野】
【０００１】
本発明は、情報送出装置、情報送出方法、プログラム及び記録媒体並びに表示制御装置及び表示方法に関し、例えばテレビジョン放送局で用いるサーバシステムに適用して好適なものである。
【背景技術】
【０００２】
従来、この種の放送局用のサーバシステムにおいては、複数のビデオカメラからそれぞれ撮影内容として得られる映像音声を同時に又は所望タイミングで順次切り換えながらライブ中継等のリアルタイムで放送すると同時に、当該各ビデオカメラごとに撮像結果である映像音声をサーバが蓄積及び管理するようになされている。
【０００３】
またサーバシステムでは、各ビデオカメラの撮像結果である映像音声を編集装置を用いて所望状態に加工編集し、得られた編集後の映像音声を放送用のクリップ（映像音声素材）としてサーバに登録することができ、このサーバに登録したクリップを所定のタイミングで読み出して放送することができるようになされている（例えば、特許文献１参照）。
【特許文献１】特開２０００−３２３２１公報
【発明の開示】
【発明が解決しようとする課題】
【０００４】
ところで、かかるサーバシステムにおいては、サーバが複数のビデオカメラの撮像結果である映像音声を管理する際に、各ビデオカメラごとに、保存先のファイル及びその名前、収録時間等をオペレータが自分で意識して区別する必要があり、その分非常に手間がかかるという問題があった。
【０００５】
本発明は以上の点を考慮してなされたもので、オペレータの作業効率を格段と向上することができる情報送出装置、情報送出方法、プログラム及び記録媒体並びに表示制御装置及び表示方法を提案しようとするものである。
【課題を解決するための手段】
【０００６】
かかる課題を解決するため本発明においては、複数の撮影手段から被写体の撮影結果として得られる各映像音声素材を蓄積し、必要に応じて送出する情報送出装置において、各撮影手段の撮影結果でなる映像音声素材にそれぞれ共通のアドレスを割り当てておき、当該アドレスに従って各撮影手段ごとに対応する映像音声素材をそれぞれ蓄積する蓄積手段と、蓄積手段から特定の撮影手段に対応する映像音声素材を読み出したとき、当該映像音声素材と同一時間に撮影された特定の撮影手段以外の他の撮影手段に対応する映像音声素材を検索する検索手段とを設けるようにした。この結果この情報送出装置では、蓄積された映像音声素材のみに基づいて、撮影元以外の他の撮影手段により同一時間に収録された映像音声素材を容易に認識することができる。
【０００７】
また本発明においては、複数の撮影手段から被写体の撮影結果として得られる各映像音声素材を蓄積し、必要に応じて送出する情報送出方法において、各撮影手段の撮影結果でなる映像音声素材にそれぞれ共通のアドレスを割り当てておき、当該アドレスに従って各撮影手段ごとに対応する映像音声素材をそれぞれ蓄積する第１のステップと、特定の撮影手段に対応する映像音声素材を読み出したとき、当該映像音声素材と同一時間に撮影された特定の撮影手段以外の他の撮影手段に対応する映像音声素材を検索する第２のステップとを設けるようにした。この結果この情報送出方法では、蓄積された映像音声素材のみに基づいて、撮影元以外の他の撮影手段により同一時間に収録された映像音声素材を容易に認識することができる。
【０００８】
さらに本発明においては、複数の撮影手段から被写体の撮影結果として得られる各映像音声素材を蓄積し、必要に応じて送出する情報送出装置において、各撮影手段を主従関係を持たせた状態でグループ化しておき、当該各撮影手段同士をリンクさせるためのアドレス情報を含む付加情報がそれぞれ付加された各映像音声素材を入力する入力手段と、入力手段により入力された映像音声素材から付加情報を取得する取得手段と、入力手段により入力された映像音声素材と取得手段により取得された当該映像音声素材に対応する付加情報とを、当該付加情報に基づいて記憶する記憶手段と、特定の撮影手段に対応する映像音声素材を記憶手段から読み出した場合、当該読み出された映像音声素材にリンクする映像音声素材を自動的に検索する検索手段と、検索手段により検索された映像音声素材を出力する出力手段とを設けるようにした。この結果この情報送出装置では、蓄積された映像音声素材のみに基づいて、撮影元以外の他の撮影手段により同一時間に収録された映像音声素材を容易に認識することができる。
【０００９】
さらに本発明においては、複数の撮影手段から被写体の撮影結果として得られる各映像音声素材を表示する表示制御装置において、各撮影手段を主従関係を持たせた状態でグループ化しておき、当該各撮影手段同士をリンクさせるためのアドレス情報を含む付加情報がそれぞれ付加された各映像音声素材から当該付加情報をそれぞれ取得する取得手段と、取得手段により取得された各付加情報に基づいて、対応する各映像音声素材を連動させる状態で表示させる表示制御手段とを設けるようにした。この結果この表示制御装置では、蓄積された映像音声素材のみに基づいて、撮影元以外の他の撮影手段により同一時間に収録された映像音声素材を容易に表示させることができる。
【発明の効果】
【００１０】
上述のように本発明によれば、複数の撮影手段から被写体の撮影結果として得られる各映像音声素材を蓄積し、必要に応じて送出する情報送出装置において、各撮影手段の撮影結果でなる映像音声素材にそれぞれ共通のアドレスを割り当てておき、当該アドレスに従って各撮影手段ごとに対応する映像音声素材をそれぞれ蓄積する蓄積手段と、蓄積手段から特定の撮影手段に対応する映像音声素材を読み出したとき、当該映像音声素材と同一時間に撮影された特定の撮影手段以外の他の撮影手段に対応する映像音声素材を検索する検索手段とを設けるようにしたことにより、蓄積された映像音声素材のみに基づいて、撮影元以外の他の撮影手段により同一時間に収録された映像音声素材を容易に認識することができ、かくしてオペレータの作業効率を格段と向上することができる情報送出装置を実現できる。
【００１１】
また本発明によれば、複数の撮影手段から被写体の撮影結果として得られる各映像音声素材を蓄積し、必要に応じて送出する情報送出方法において、各撮影手段の撮影結果でなる映像音声素材にそれぞれ共通のアドレスを割り当てておき、当該アドレスに従って各撮影手段ごとに対応する映像音声素材をそれぞれ蓄積する第１のステップと、特定の撮影手段に対応する映像音声素材を読み出したとき、当該映像音声素材と同一時間に撮影された特定の撮影手段以外の他の撮影手段に対応する映像音声素材を検索する第２のステップとを設けたことにより、蓄積された映像音声素材のみに基づいて、撮影元以外の他の撮影手段により同一時間に収録された映像音声素材を容易に認識することができ、かくしてオペレータの作業効率を格段と向上することができる情報送出方法を実現できる。
【００１２】
さらに本発明においては、複数の撮影手段から被写体の撮影結果として得られる各映像音声素材を蓄積し、必要に応じて送出する情報送出装置において、各撮影手段を主従関係を持たせた状態でグループ化しておき、当該各撮影手段同士をリンクさせるためのアドレス情報を含む付加情報がそれぞれ付加された各映像音声素材を入力する入力手段と、入力手段により入力された映像音声素材から付加情報を取得する取得手段と、入力手段により入力された映像音声素材と取得手段により取得された当該映像音声素材に対応する付加情報とを、当該付加情報に基づいて記憶する記憶手段と、特定の撮影手段に対応する映像音声素材を記憶手段から読み出した場合、当該読み出された映像音声素材にリンクする映像音声素材を自動的に検索する検索手段と、検索手段により検索された映像音声素材を出力する出力手段とを設けるようにした。この結果この情報送出装置では、蓄積された映像音声素材のみに基づいて、撮影元以外の他の撮影手段により同一時間に収録された映像音声素材を容易に認識することができ、かくしてオペレータの作業効率を格段と向上することができる情報送出装置を実現できる。
【００１３】
さらに本発明においては、複数の撮影手段から被写体の撮影結果として得られる各映像音声素材を表示する表示制御装置において、各撮影手段を主従関係を持たせた状態でグループ化しておき、当該各撮影手段同士をリンクさせるためのアドレス情報を含む付加情報がそれぞれ付加された各映像音声素材から当該付加情報をそれぞれ取得する取得手段と、取得手段により取得された各付加情報に基づいて、対応する各映像音声素材を連動させる状態で表示させる表示制御手段とを設けるようにした。この結果この表示制御装置では、蓄積された映像音声素材のみに基づいて、撮影元以外の他の撮影手段により同一時間に収録された映像音声素材を容易に表示させることができ、かくしてオペレータの作業効率を格段と向上することができる表示制御装置を実現できる。
【発明を実施するための最良の形態】
【００１４】
以下図面について、本発明の一実施の形態を詳述する。
【００１５】
（１）本実施の形態によるサーバシステムの構成
（１−１）サーバシステムの全体構成
図１において、１は全体としてテレビジョン放送局、及びライブ中継の中継車等に設置される本実施の形態によるサーバシステムを示し、被写体ＯＢの周囲に配置された複数のビデオカメラ２Ａ〜２Ｃと、当該各ビデオカメラ２Ａ〜２Ｃの撮像結果として得られる映像音声を蓄積及び管理するサーバ３と有し、各ビデオカメラ２Ａ〜２Ｃの撮影内容である映像音声をリアルタイムで又はサーバを利用した編集加工等を施すようにして放送等し得るようになされている。
【００１６】
このサーバシステム１では、複数のビデオカメラ２Ａ〜２Ｃの後段にサーバ３及びライブ中継用スイッチャ４が並列接続されており、当該各ビデオカメラ２Ａ〜２Ｃの撮影内容である映像音声をライブ中継用スイッチャ４を介して同時に又は所望タイミングで順次切り換えながら送信装置５からリアルタイムで放送すると同時に、当該各ビデオカメラ２Ａ〜２Ｃごとに撮像結果である映像音声をサーバ３が蓄積及び管理するようになされている。
【００１７】
これら複数のビデオカメラ２Ａ〜２Ｃは、被写体を取り囲むように所望状態に配置されており、例えばこのうちの１台を位置基準となるビデオカメラ（以下、これをマスタ用カメラと呼ぶ）２Ａとして例えばフラグの立上げにより設定すると共に、残る全てのビデオカメラ（以下、これをスレイブ用カメラと呼ぶ）２Ｂ、２Ｃを、例えばフラグの立下げにより位置関係及び時間管理等がマスタ用カメラ２Ａに従属するように設定する。
【００１８】
マスタ用カメラ２Ａは、現在位置の緯度、経度及び高度を表す位置情報や撮影時間としてタイムコードを表す時間情報等からなるメタ（Meta）データを、被写体の撮影結果を表す映像音声データに加えて形成されるデータ（以下、これをコンテンツデータと呼ぶ）Ｓ１Ａをサーバ３に送出するようになされている。
【００１９】
一方、各スレイブ用カメラ２Ｂ、２Ｃは、例えば、現在位置の緯度、経度及び高度を表す位置情報と、マスタ用カメラ２Ａのタイムコードを基準として時間的に同期させたタイムコードを表す時間情報からなるメタデータを、被写体ＯＢの撮影結果を表す映像音声データに加えて形成されるコンテンツデータＳ１Ｂ、Ｓ１Ｃをサーバ３に送出するようになされている。
【００２０】
これら各スレイブ用カメラ２Ｂ、２Ｃでは、撮影時に位置情報及び時間情報を相対値に変換することなく、絶対値のまま記録するようになされている。このうち時間情報は、コンテンツデータＳ１Ｂ、Ｓ１ＣがＮＴＳＣ方式のビデオ・コンポジット（Composite）信号に変換されたときに、そのカラー搬送波信号の位相をもマスタ用カメラ２Ａと時間的に完全に同期させるために必要な情報である。また位置情報は、サーバシステム１にアップロード（UpLoad）した後に相対値に変換される。
【００２１】
なおマスタ用カメラ２Ａ及び各スレイブ用カメラ２Ｂ、２Ｃには、それぞれＧＰＳ（Global Positioning System）を利用する位置検出部（図示せず）が内蔵され、各種の人工衛星から発信される測位用電波をアンテナ（図示せず）を介して受信した後、当該測位用電波に基づいて現在の位置を検出するようにして、当該位置を表す位置情報を生成するようになされている。
【００２２】
またサーバ３には、マスタ用カメラ２Ａ及び各スレイブ用カメラ２Ｂ、２Ｃのみならず、メディア再生用の再生装置６が接続されており、ビデオテープ等の記録媒体７を再生して得られた収録内容でなるコンテンツデータＳ２が供給されるようになされている。
【００２３】
このサーバ３は、複数のビデオカメラ２Ａ〜２Ｃからそれぞれ供給されるコンテンツデータＳ１Ａ〜Ｓ１Ｃと、再生装置６から供給されるコンテンツデータＳ２とを、それぞれファイル化して蓄積しておき、必要に応じて指定されたコンテンツデータＳ１Ａ〜Ｓ１Ｃ、Ｓ２を選択的に読み出して編集端末装置８に供給する。
【００２４】
この編集端末装置８は、サーバ３から供給されるコンテンツデータＳ１Ａ〜Ｓ１Ｃ、Ｓ２のうち映像音声データに基づく映像音声に対して設定された編集内容で編集処理した後、当該編集後のコンテンツデータＳ３をテレビ放送、ネット配信又はメディア記録のうちオペレータによって選択された送出方法で送出する。
【００２５】
その際、編集端末装置８は、テレビ放送が選択された場合には、編集後のコンテンツデータＳ３を放送配信サーバ９を介して放送用のフォーマットにデータ変換してテレビ放送させる一方、ネット配信が選択された場合には、エンコーダ１０を介して所定の符号化処理を施すことによりウェブストリーミング（WebStreaming）等のウェブコンテンツに変換した後、後続するウェブサーバ１１に蓄積しながらインターネット等のネットワークを経由して外部に配信する。他方、編集端末装置８は、メディア記録が選択された場合には、編集後のコンテンツデータＳ３を記録装置１２に送出し、予め装填されている記録媒体１３に記録するようにしてパッケージメディアを生成する。
【００２６】
このようにサーバシステム１では、複数のビデオカメラ２Ａ〜２Ｃ又は再生装置６から出力されるコンテンツデータＳ１Ａ〜Ｓ１Ｃ、Ｓ２をそのままテレビ放送用に送出する一方、サーバ３において蓄積しておき所望タイミングで読み出して各種の編集処理を施してテレビ放送、ネット配信及びメディア記録のうち選択された送出方法で送出するようになされている。
【００２７】
（１−２）サーバの内部構成
ここで図２にサーバ３の内部構成を示す。この図２において、サーバ３は、複数のビデオカメラ２Ａ〜２Ｃ及び再生装置６（図１）から与えられるコンテンツデータＳ１Ａ〜Ｓ１Ｃを、入力部２０内のインターフェース部２０Ａを介してコマンド処理部２１に受けると、当該コマンド処理部２１において各種のコマンド処理を施した後、多重化及び分離部２２に送出する。このときコマンド処理部２１は、コンテンツデータＳ１Ａ〜Ｓ１Ｃに基づいて、対応するビデオカメラ２Ａ〜２Ｃの記録時に映像音声素材に割り当てられたアドレスを抽出して、アドレス処理部２３に送出する。
【００２８】
多重化及び分離部２２は、コンテンツデータＳ１Ａ〜Ｓ１Ｃをそれぞれ映像データ、音声データ及びメタデータに分離した後、このうち映像データ及び音声データをデータ変換処理部２４に送出する一方、メタデータをメタデータ処理部２５に送出する。
【００２９】
データ変換処理部２４は、多重化及び分離部２２において分離された映像データを所定フォーマットに変換した後、映像ストレージ部２６に蓄積させる一方、当該分離された音声データを所定レベルの周波数に変換した後、音声ストレージ部２７に蓄積させる。
【００３０】
またメタデータ処理部２５は、多重化及び分離部２２において分離されたメタデータを受け取ると、当該メタデータに基づいて、被写体を基準とする各ビデオカメラ２Ａ〜２Ｃの相対位置関係やマスタ用カメラ２Ａのタイムコードに同期した各スレイブ用カメラ２Ｂ、２Ｃのタイムコード等を認識することができる。
【００３１】
具体的にメタデータは、例えば、縮小画像であるプロキシ（Proxy）データ、ＧＰＳを用いて得られる位置情報を表す座標データ、タイムコード、及び撮影時にオペレータによって付加されたグッドショットマーク（Good Shoot Mark）等からなるフレーム単位のデータと、以下に述べるファイルシステムでなるファイル単位のデータとから構成されている。
【００３２】
入力部２０内のデータベース２０Ｂには、メタデータ処理部２５から与えられるメタデータを、撮影時に登録された各ビデオカメラ２Ａ〜２Ｃに固有のＩＤであるＵＭＩＤ（Unique Material identity）に基づいてファイル化したもの（以下、これをファイルシステムと呼ぶ）がインデックステーブルとして蓄積されている。
【００３３】
図３に示すように、このＵＭＩＤには、ディレクトリの下位階層として、映像（Video）データ、音声（Audio）データ、プロキシ（Proxy）データ、マルチカメラデータ（Multi Camera Info.）、座標（coordinates）データ及び他の情報（The Other Info.）をそれぞれ表すファイル等が記述されている。
【００３４】
このうちマルチカメラデータのファイルは、さらにディレクトリの下位階層として、マルチカメラ（Multi Camera）のフラグ、マスタ／スレイブ（Master/Slave）のフラグ、マスタ用カメラ２Ａのときのみ各スレイブ用カメラの番号（Number of Slave）及び当該各スレイブ用カメラ２Ｂ、２ＣのＩＤ（Slave ID1、Slave ID2、…）、スレイブ用カメラ２Ｂ、２Ｃのときのみマスタ用カメラ２ＡのＩＤ（Master ID）が記述されている。
【００３５】
そしてメタデータ処理部２５は、メタデータに基づくファイルシステム内のマルチカメラデータから得られた種々のＩＤに基づいて、コマンド処理部２１から与えられたアドレスをリンクさせた後、このメタデータをアドレスに従ってメタストレージ部２８に蓄積させる。またデータ変換処理部２４も、メタデータ処理部２５により決定されたアドレスに従って、映像ストレージ部２６及び音声ストレージ部２７にそれぞれ映像データ及び音声データを蓄積させる。
【００３６】
さらにメタデータ処理部２５は、メタデータに基づくファイルシステム内のマルチカメラデータのうち、マルチカメラのフラグがＯＮ状態であることを検出して、コンテンツデータの撮影元が複数のビデオカメラ２Ａ〜２Ｃによる撮影結果であると判断すると、当該マルチカメラデータのうちのマスタ／スレイブのフラグのＯＮ/ＯＦＦ状態を判別し、マスタ用カメラ２Ａ又はスレイブ用カメラ２Ｂ、２Ｃであるか否かを判断する。
【００３７】
続いてメタデータ処理部２５は、マスタ用カメラ２Ａであると判断した場合、各スレイブ用カメラ２Ｂ、２Ｃの番号及びＩＤを検出して、アドレス処理部２３に送出する。このアドレス処理部２３は、各スレイブ用カメラ２Ｂ、２Ｃの番号及びＩＤに基づいて、当該各スレイブ用カメラ２Ｂ、２Ｃごとの映像音声素材の数及びアドレスを決定した後、映像ストレージ部２６、音声ストレージ部２７及びメタストレージ部２８にそれぞれ供給すると共に、入力部２０内のデータベース２０Ｂにも供給する。
【００３８】
一方、メタデータ処理部２５は、スレイブ用カメラ２Ｂ、２Ｃであると判断した場合、マスタ用カメラ２ＡのＩＤを検出した後、アドレス処理部２３に送出する。このアドレス処理部２３は、マスタ用カメラ２ＡのＩＤに基づいて、当該マスタ用カメラ２Ａの映像音声素材のアドレスを決定した後、映像ストレージ部２６、音声ストレージ部２７及びメタストレージ部２８にそれぞれ供給すると共に、入力部２０内のデータベース２０Ｂにも供給する。
【００３９】
この結果、映像ストレージ部２６、音声ストレージ部２７及びメタストレージ部２８では、決定されたアドレスに従って、映像データ、音声データ及びメタデータがそれぞれ蓄積されると共に、入力部２０内のデータベース２０Ｂでは、決定されたアドレスを参照してディレクトリ構造を再構築する。
【００４０】
かくして、サーバ３においては、映像ストレージ部２６、音声ストレージ部２７及びメタストレージ部２８にそれぞれ蓄積されている映像データ、音声データ及びメタデータには、マスタ用カメラ２Ａに基づく映像音声素材であっても同一時間に収録された各スレイブ用カメラ２Ｂ、２Ｃに基づく映像音声素材に容易に辿り着くことができると共に、各スレイブ用カメラ２Ｂ、２Ｃに基づく映像音声素材であっても同一時間に収録されたマスタ用カメラ２Ａに基づく映像音声素材に容易に辿り着くことができる。
【００４１】
このようにしてサーバ３において、複数のビデオカメラ２Ａ〜２Ｃの撮像結果であるコンテンツデータが供給されても、当該コンテンツデータに基づく映像音声素材がマスタ用カメラ２Ａ又は各スレイブ用カメラ２Ｂ、２Ｃのいずれの収録内容であるか、保存先のファイル及びその名前、収録時間等をデータベース上で検索することにより自動的に識別することができる。
【００４２】
なおサーバ３においては、メタデータ処理部２５は、メタデータに基づくファイルシステム内のマルチカメラデータのうち、マルチカメラのフラグのＯＮ状態を検出して、コンテンツデータの撮影元が複数のビデオカメラ２Ａ〜２Ｃによる撮影結果であると判断したとき、ファイルシステム内の座標データを、各ビデオカメラ２Ａ〜２Ｃの現在位置を表すＧＰＳ座標から、被写体の位置を中心とする相対座標にそれぞれ変換した後、当該座標データを書き換えるようになされている。
【００４３】
例えば図４（Ａ）に示すように、ＧＰＳを用いて測定された被写体ＯＢの位置を表す座標が（115、56）であり、同じく測定されたマスタ用カメラ２Ａ及び各スレイブ用カメラ２Ｂ、２Ｃの位置を表す座標が（110、60）、（114、50）、（120、56）であるとき、図４（Ｂ）に示すように、被写体ＯＢの位置を仮想中心座標（０、０）とすると、マスタ用カメラ２Ａの相対座標は（−５、４）と変換され、各スレイブ用カメラ２Ｂ、２Ｃの相対座標は（−１、−６）、（５、０）と変換される。
【００４４】
（１−３）編集端末装置の内部構成
ここで図５に編集端末装置８の内部構成を示す。この編集端末装置８は、サーバ３（図２）から供給されるコンテンツデータＳ３に基づく映像音声の所望部分をクリップとして登録し得る一方、必要に応じて所望するクリップの映像信号及び音声信号をハードディスク装置３０に取り込み得るようになされている。
【００４５】
またこの編集端末装置８では、登録された各クリップを所望状態につなぎ合わせて所望の編集映像音声を得るための編集内容に規定した編集リストを作成でき、さらにこの作成した編集リストに従って実際に編集処理を実行し、得られた編集映像及び編集音声を外部に出力し得るようになされている。
【００４６】
すなわちこの編集端末装置８は、コンピュータ３１、システム制御部３２、映像音声入出力部３３、映像特殊効果処理部３４、音声入出力／ミキサ部３５及びディスク制御部３６がコントロールバス３７を介して相互に接続されることにより構成されている。
【００４７】
この場合コンピュータ３１は、初期時、ディスプレイ部３８に所定の操作画面（以下、これを編集画面と呼ぶ）を表示させる。またコンピュータ３１は、この状態においてマウス３９が操作されることにより、クリップ登録モードが選択され、当該編集端末装置８に接続されたサーバ３（図２）からの再生動作命令が入力されると、これに応じた制御コマンドＣ１をシステム制御部３２に送出する。
【００４８】
システム制御部３２は、供給される制御コマンドに基づいて、サーバ３に制御信号Ｓ５を送出することにより、サーバ３に蓄積されている映像信号及び音声信号の再生動作を実行させる。この結果このサーバ３からは、映像信号及び音声信号とが出力され、それぞれ映像音声入出力部３３を介してそのまま映像特殊効果処理部３４に与えられる。
【００４９】
映像特殊効果処理部３４は、システム制御部３２の制御のもとに、映像音声入出力部３３から供給される映像信号をコンピュータ３１に送出する。かくしてこのディスプレイ部３８には、コンピュータ３１の制御のもとに映像信号に基づく映像が編集画面上の所定位置に表示される。
【００５０】
これによりこの編集端末装置８では、ディスプレイ部３８に表示された映像及びスピーカ（図示せず）から出力される音声に基づいて、オペレータがマウス３９及びキーボード４０を用いて映像及び音声の所望部分を指定することができ、さらにこれをクリップとしてそのイン点及びアウト点のタイムコードや素材長（デュレーション）等の関連データをコンピュータ３１内に登録することができるようになされている。
【００５１】
またコンピュータ３１は、このとき予め取込みモードが選択されている場合には、これに応じた制御コマンドＣ１をシステム制御部３２に送出する。システム制御部３２は、供給される制御コマンドＣ１に基づいて、サーバ３に制御信号Ｓ５を送出することにより、指定されたクリップの映像音声を当該サーバ３に再生させる一方、映像音声入出力部３３をコントロールバス３７を介して制御することにより、サーバ３から送出される映像信号及び音声信号を取り込ませる。
【００５２】
そしてディスク制御部３６は、このときシステム制御部３２からコントロールバス３７を介して与えられるコマンドに基づいて、映像特殊効果処理部３４又は映像音声入出力部３３から与えられる映像信号と、音声入出力／ミキサ部３５又は映像音声入出力部３３から与えられる音声信号とを順次取り込み、これらをハードディスク装置３０に与えてハードディスクの指定されたアドレス位置に記録させる。
【００５３】
このようにしてこの編集端末装置８においては、指定されたクリップの映像音声をサーバ３から再生してハードディスク装置３０に取り込むことができるようになされている。
【００５４】
一方コンピュータ３１は、上述のようにしてクリップが登録されると、ディスプレイ部３８に表示されている編集画面内に、登録されたクリップのリストを表示させる。
【００５５】
そしてオペレータは、この編集画面を用いてどのクリップとどのクリップとをどのように繋ぎ合わせるかといった編集内容を規定した編集データを編集リストとして作成することができる。またオペレータは、編集リストの再生後又は作成途中において、その編集リストに基づく編集映像及び編集音声を確認することができる。
【００５６】
なおコンピュータ３１は、ＣＰＵ（Central Processing Unit ）４１、ＲＯＭ（Read Only Memory）４２、ＲＡＭ（Random Access Memory）４３、表示処理部４４、タイトル／グラフィック生成部４５及びインタフェース回路４６、４７がＣＰＵバス４８を介して接続されることにより構成されており、各インタフェース回路４６、４７をそれぞれ介してマウス３９及びキーボード４０と接続されている。
【００５７】
この場合ＣＰＵ４１は、ＲＯＭ４２に格納されたプログラムに基づいて、必要に応じてＲＯＭ４２内の画像データを読み出し、これを表示処理部４４を介してディスプレイ部３８に与えることにより、後述のような編集画面や各種ダイアログ、マウス操作に応動して編集画面内を移動するカーソル及びキーボード４０を介して入力された数字や文字などをディスプレイ部３８に表示させ、かつ映像特殊効果処理部３４からタイトル／グラフィック生成部４５を介して表示処理部４４に与えられる映像信号に基づく動画像や静止画像を編集画面内の所定位置に表示させる。
【００５８】
またＣＰＵ４１は、例えばマウス３９やキーボード４０が操作されることにより所定処理の実行命令がインタフェース回路４６、４７を介して与えられると、ＲＯＭ４２に格納されたプログラムに基づいて、必要に応じてシステム制御部３２に制御コマンドＣ１を送出することにより、当該システム制御部３２を介して映像音声入出力部３３、映像特殊効果処理部３４、音声入出力／ミキサ部３５及び又はディスク制御部３６に所定動作を実行させ、かくして編集端末装置８全体として上述したような各種処理を実行させる。
【００５９】
さらにＣＰＵ４１は、ＲＯＭ４２に格納されたプログラムに基づいて、必要時にはタイトル／グラフィック生成部４５を制御してタイトル文字やグラフィックの画像データを生成させてこれを映像特殊効果処理部３４に送出させ、かくしてこれらタイトル文字やグラフィックを編集映像に反映させるようになされている。
【００６０】
（２）マルチカメラモード時における表示状態
ここで実際上、編集端末装置８におけるコンピュータ３１内のＣＰＵ４１は、オペレータの操作に応じてマルチカメラモードに設定されると、ＲＯＭ４２に格納されているプログラムに基づいて、図６に示すような編集画面ＥＰをディスプレイ部に表示させる。
【００６１】
この編集画面ＥＰには、登録された複数のクリップの先頭画像をそれぞれ表示するための素材表示部５０と、指定されたクリップについて全てのビデオカメラの撮影内容を映像表示するための素材確認部５１と、編集リストを作成するための編集リスト作成部５２と、編集結果を映像表示するための編集確認部５３とが設けられている。
【００６２】
この素材表示部５０には、登録された複数のクリップに対応してそれぞれ認識用表示部５０Ａ〜５０Ｎ（Ｎは自然数）が所定の配置状態で表示されている。これら複数の認識用表示部５０Ａ〜５０Ｎは、それぞれクリップの先頭画像がサムネイル表示されると共に、当該画像の下段には対応するクリップに関する種々の登録事項（収録時間やテキスト等）が表示されるようになされている。なお、素材表示部５０では、メタデータに基づき複数のビデオカメラ２Ａ〜２Ｃによって撮影された映像音声素材については、例えば当該映像音声素材を表すクリップの先頭画像の外枠を赤色等で表示するようにして、オペレータに認知させ易いようになされている。
【００６３】
また素材確認部５１は、素材表示部５０に表示されている複数の認識用表示部５０Ａ〜５０Ｎのうち、オペレータによって指定された認識用表示部５０Ａ〜５０Ｎをピックアップして、当該クリップを同時刻に撮影した複数のビデオカメラ２Ａ〜２Ｃの映像をそれぞれ表示部（以下、これを映像表示部と呼ぶ）５１Ａ〜５１Ｃに表示すると同時に、当該各ビデオカメラ２Ａ〜２Ｃの位置関係を所定の表示形態でなる表示部（以下、これを位置表示部と呼ぶ）５１Ｄに表示するようになされている。
【００６４】
この素材確認部５１では、下段に操作用ボタン５１Ｅが表示されており、複数の映像表示部５１Ａ〜５１Ｃについて、操作用ボタン５１Ｅの操作に応じて再生、巻戻しや変速再生等がされることにより、それぞれ当該操作内容に応じた表示動作を行うようになされている。このとき各映像表示部５１Ａ〜５１Ｃには、クリップの先頭画像の開始時点から終了時点までの時刻をタイムライン５１ＡＴ〜５１ＣＴとしてそれぞれ表示するようになされている。
【００６５】
また位置表示部５１Ｄには、被写体ＯＢの位置を基準として複数のビデオカメラ２Ａ〜２Ｃの位置をそれぞれ対応するマーク（以下、これを位置マークと呼ぶ）ＭＡ〜ＭＣとして表示するようになされている。これら各位置マークＭＡ〜ＭＣは、例えば上述した図４（Ｂ）のように被写体ＯＢの位置を仮想中心座標（０、０）としたとき、マスタ用カメラ２Ａの相対座標（−５、４）及び各スレイブ用カメラ２Ｂ、２Ｃの相対座標（−１、−６）、（５、０）のような位置関係で表される。
【００６６】
さらに編集リスト作成部５２では、オペレータが素材確認部５１の各映像表示部５１Ａ〜５１Ｃに表示された映像を目視確認しながらクリップとして登録しようとする映像部分のイン点及びアウト点をタイムラインＴＬ上で指定することにより、当該イン点からアウト点までの部分をクリップとして登録すると共に、各ビデオカメラ２Ａ〜２Ｃに対応するトラック５２Ａ〜５２Ｃごとにクリップに対応する枠を表示することができる。
【００６７】
このときディスプレイ部３８に表示されているそのクリップのイン点及びアウト点のタイムコードや、素材長及び保存位置等の関連データがデータベースとしてコンピュータ３１（図５）内のＲＡＭ４３に取り込まれる。
【００６８】
このように編集リスト作成部５２では、各ビデオカメラ２Ａ〜２Ｃに対応するトラック５２Ａ〜５２Ｃごとに枠が表示されることは、編集映像音声の出力時にタイムスケールで表された時間にその枠に対応するクリップの映像が表示され又は音声が出力されることを意味する。従つてこのような操作により編集映像として編集確認部５３に表示され、又は編集音声として出力されるクリップ映像又は音声を順次規定してなる編集リストを作成することができる。
【００６９】
この編集確認部５３では、下段に操作用ボタン５３Ｅが表示されており、編集映像について、操作用ボタン５３Ｅの操作に応じて再生、巻戻しや変速再生等がされることにより、当該操作内容に応じた表示動作を行うようになされている。
【００７０】
なお、編集端末装置８は、上述した図１において、編集前のコンテンツデータをネット配信する場合には、当該コンテンツデータをウェブコンテンツに変換してウェブサーバ１１に供給する。その際、ウェブコンテンツには、上述した編集画面ＥＰ（図６）のうち素材確認部５１に類似するＧＵＩ（Graphic user interface）表示用のデータが付加される。
【００７１】
ここで図７において、インターネット等のネットワークを経由してウェブサーバ１１（図１）からウェブコンテンツを受信するようになされた表示制御装置６０の構成を示す。
【００７２】
この表示制御装置６０は、一般家庭や会社内に設置された通常のパーソナルコンピュータであり、他のパーソナルコンピュータやウェブサーバ１１とネットワークを介して通信することにより必要なデータを送受信したり、当該通信により得られた画面データに基づくＷｅｂページ画面等をモニタ表示することができるようになされている。
【００７３】
この表示制御装置６０の本体部６０Ｈは、全体の制御を司るＣＰＵ６１と、各種ソフトウェアが格納されたＲＯＭ６２と、ＣＰＵ６１のワークメモリとしてのＲＡＭ６３、各種データが格納されたハードディスク装置６４と、ＣＰＵ６１がネットワークを介して外部と通信するためのインターフェースであるネットワークインターフェース部６５と、スピーカ６６が接続された音声処理部６７と、モニタ６８が接続された画像処理部６９と、キーボード及びマウス等の操作入力部７０が接続されたインターフェース部７１と、外部のビデオテープ駆動装置７２と必要に応じて接続するための外部インターフェイス部７３とを有し、これらがバスＢＵＳを介して相互に接続されることにより構成されている。
【００７４】
まずＣＰＵ６１は、ネットワークを介してアクセスしてきたウェブサーバ１１から与えられるウェブコンテンツをネットワークインターフェース部６５を介して取り込み、当該ウェブコンテンツと、ＲＯＭ６２に格納されているソフトウェアとに基づいて各種処理を実行する。
【００７５】
そしてＣＰＵ６１は、この処理結果としてモニタ６８上において、図８に示すように、ＧＵＩ表示用のデータに基づく表示画面（以下、これをＧＵＩ画面と呼ぶ）８０を表示させる。このＧＵＩ画面８０は、複数のビデオカメラ２Ａ〜２Ｃの撮影内容を映像表示するための素材確認部８１と、当該素材確認部８１において指定された映像を拡大表示するための拡大表示部８２とからなる。
【００７６】
この素材確認部８１は、各ビデオカメラ２Ａ〜２Ｃに対応する映像を表示する映像表示部８１Ａ〜８１Ｃと、当該各ビデオカメラ２Ａ〜２Ｃの位置関係を表示する位置表示部８１Ｄとからなる。この位置表示部８１Ｄには、被写体ＯＢの位置を基準として複数のビデオカメラ２Ａ〜２Ｃの位置がそれぞれ対応する位置マークＭＡ〜ＭＣとして表示されるようになされている。
【００７７】
この場合、オペレータが、例えば、ビデオカメラ２Ａを操作入力部等から選択した場合、選択されたビデオカメラ２Ａの位置情報及びタイムコードなどに基づいて、複数のビデオカメラ２Ａ〜２Ｃの位置に対応する位置マークＭＡ〜ＭＣが互いに連動して変化する。
【００７８】
また拡大表示部８２は、オペレータによって指定されたビデオカメラ２Ａ〜２Ｃの映像を拡大して表示し、さらに下段に表示された操作用ボタン８２Ｅの操作に応じて再生、巻戻しや変速再生等がされると、当該操作内容に応じた表示動作を行うようになされている。
【００７９】
なお上述した図７に示す表示制御装置６０では、モニタ６８上に複数のビデオカメラ２Ａ〜２Ｃの位置にそれぞれ対応する位置マークＭＡ〜ＭＣが表示された状態で、ユーザが所定の開示時点及び終了時点を指定すると、ＣＰＵ６１は、当該指定された時間内での位置マークＭＡ〜ＭＣの座標の移動履歴を履歴位置情報としてユーザのお気に入りとしてがファイルとしてハードディスク装置６４又は外部メモリ（図示せず）に記録しておくことにより、後でユーザが当該ファイルを読み出したときに、その履歴位置情報に基づいて各ビデオカメラ２Ａ〜２Ｃを前の位置状態で再現させることができる。
【００８０】
（３）サーバシステムにおける各種処理
（３−１）撮影準備処理手順
まず各ビデオカメラ２Ａ〜２Ｃにおいては、オペレータによってマルチカメラ撮影が選択されると、カメラ本体内のＣＰＵ（図示せず）は、図９に示す撮影準備処理手順ＲＴ１をステップＳＰ０から開始し、続くステップＳＰ１において、所定のメニュー画面を用いてマルチカメラフラグを設定する。
【００８１】
続いてＣＰＵは、ステップＳＰ２に進んで、マスタ用カメラ２Ａであるか否かを判断し、肯定結果が得られた場合には、ステップＳＰ３に進んで、各スレイブ用カメラの番号及びＩＤをメタデータに記述した後、ステップＳＰ４に進んで当該撮影準備処理手順ＲＴ１を終了する。
【００８２】
これに対してステップＳＰ２において否定結果が得られた場合、このことはスレイブ用カメラ２Ｂ、２Ｃであることを意味し、このときＣＰＵは、ステップＳＰ５に進んで、マスタ用カメラ２ＡのＩＤをメタデータに記述した後、ステップＳＰ６に進んで、タイムコードをマスタ用カメラ２Ａを基準として共通化させ、そのままステップＳＰ４に進んで当該撮影準備処理手順ＲＴ１を終了する。
【００８３】
このようにマルチカメラ撮影の準備段階において、複数のビデオカメラ２Ａ〜２Ｃをマスタ用カメラ２Ａと各スレイブ用カメラ２Ｂ、２Ｃとの位置関係及び時間関係を予めメタデータのデータ内容として設定しておくことができる。
【００８４】
（３−２）撮影時処理手順
続いて各ビデオカメラ２Ａ〜２Ｃでは、オペレータによってマルチカメラ撮影が開始されると、カメラ本体内のＣＰＵ（図示せず）は、図１０に示す撮影時処理手順ＲＴ２をステップＳＰ１０から開始し、続くステップＳＰ１１において、次のフレームを記録するか否かを判断する。
【００８５】
このステップＳＰ１１において肯定結果が得られると、ＣＰＵは、そのままステップＳＰ１２に進んで、ＧＰＳにより位置情報を表す座標データを取得した後、ステップＳＰ１３においてオペレータによって撮影時にグッドショットマークなどが付加された場合にはマーキングする。
【００８６】
この後ＣＰＵは、ステップＳＰ１４に進んで、タイムコードを１フレーム分だけ歩進させた後、再度ステップＳＰ１１に戻って電源オフ状態となるまでフレーム単位でループを繰り返す。
【００８７】
これに対してステップＳＰ１１において否定結果が得られると、このことは次のフレームを記録しないことを意味し、このときＣＰＵは、ステップＳＰ１４に進んで、１フレーム分だけタイムコードを歩進させた後、再度ステップＳＰ１１に戻って電源オフ状態となるまでフレーム単位でループを繰り返す。
【００８８】
このようにマルチカメラ撮影時には、複数のビデオカメラ２Ａ〜２Ｃについて、記録対象となる各フレームに対してだけ、各ビデオカメラ２Ａ〜２Ｃの相対位置関係やマスタ用カメラ２Ａのタイムコードに同期した各スレイブ用カメラ２Ｂ、２Ｃのタイムコード、ＧＰＳ情報等を撮影時に必要なメタデータのデータ内容として記録することができる。
【００８９】
（３−３）サーバ内処理手順
サーバ３では、オペレータによってマルチカメラ撮影の撮影結果を蓄積する旨の選択がされると、サーバ３全体の制御を司る制御部（図示せず）は、ステップＳＰ２０から図１１に示すサーバ内処理手順ＲＴ３をステップＳＰ２０から開始し、続くステップＳＰ２１に進んで、各ビデオカメラ２Ａ〜２Ｃからコンテンツデータをアップロードした後、ステップＳＰ２２に進む。
【００９０】
このステップＳＰ２２において、制御部は、多重化及び分離部２２を制御して、コンテンツデータを映像データ、音声データ及びメタデータに分離した後、データ変換部２４及びメタデータ処理部２５を制御して、当該各データに対して必要な処理を施す。
【００９１】
続いて制御部は、ステップＳＰ２３に進んで、メタデータ処理部２５を制御して、メタデータに基づくファイルシステム内のマルチカメラデータから得られた各種のＩＤに基づいて、該当する映像音声素材のアドレスを決定した後、入力部２０内のデータベース２０Ｂに登録する。
【００９２】
次いで制御部は、ステップＳＰ２４に進んで、映像データ、音楽データ及びメタデータをそれぞれ映像ストレージ部２６、音声ストレージ部２７及びメタストレージ部２８に蓄積させた後、ステップＳＰ２５に進んで当該サーバ内処理手順ＲＴ３を終了する。
【００９３】
このようにサーバ３では、映像ストレージ部２６、音声ストレージ部２７及びメタストレージ部２８にそれぞれ蓄積させた映像データ、音楽データ及びメタデータについて、マスタ用カメラ２Ａに基づく映像音声素材であっても同一時間に収録された各スレイブ用カメラ２Ｂ、２Ｃに基づく映像音声素材に容易に辿り着くことができると共に、各スレイブ用カメラ２Ｂ、２Ｃに基づく映像音声素材であっても同一時間に収録されたマスタ用カメラ２Ａに基づく映像音声素材に容易に辿り着くことができる。
【００９４】
ここで上述した図１１に示すサーバ内処理手順ＲＴ３のステップＳＰ２２において、制御部は、コンテンツデータを分離してメタデータを得ると、ステップＳＰ３０からサーバ内処理手順ＲＴ４を開始し、続くステップＳＰ３１において、メタデータのうちマルチカメラデータを識別したか否かを判断する。
【００９５】
このステップＳＰ３１において肯定結果が得られると、制御部は、ステップＳＰ３２に進んで、マルチカメラデータからマスタ／スレイブのフラグ等を検出する。このとき制御部は、マスタ用カメラ２Ａの場合には、各スレイブ用カメラ２Ｂ、２Ｃの番号及びＩＤを検出する一方、スレイブ用カメラ２Ｂ、２Ｃの場合には、マスタ用カメラ２ＡのＩＤを検出する。
【００９６】
このステップＳＰ３２において、該当する同一時間に収録された映像音声素材のアドレスを参照すると、制御部は、入力部２０内のデータベース２０Ｂにおけるディレクトリ構造を再構築するようにして修正した後、ステップＳＰ３５に進んで当該サーバ内処理手順ＲＴ４を終了する。
【００９７】
このようにサーバ３では、メタデータからマルチカメラデータを識別すると、ファイルシステム内のデータベース２０Ｂにおけるディレクトリ構造を再構築するようにして、マスタ用カメラ２Ａ及び各スレイブ用カメラ２Ｂ、２Ｃ間で相互に同一の映像音声素材に容易に辿り付くことができる。
【００９８】
さらに上述のした図１２に示すサーバ内処理手順ＲＴ４のステップＳＰ３３において、制御部は、該当する同一時間に収録された映像音声素材のアドレスを参照すると、ステップＳＰ４０から図１３に示すサーバ内処理手順ＲＴ５を開始し、続くステップＳＰ４１において、メタデータから座標データを検出して、当該座標データに基づいて被写体の位置を基準とする仮想中心座標を確定する。
【００９９】
続いて制御部は、ステップＳＰ４２に進んで、仮想中心座標を基準として各ビデオカメラ２Ａ〜２Ｃの現在位置を表すＧＰＳ座標をそれぞれ相対座標に変換するための計算を実行する。
【０１００】
次いで制御部は、ステップＳＰ４３に進んで、ＧＰＳ座標を相対座標に書き換えるようにして、座標データを書き換えた後、ステップＳＰ４４に進んで当該サーバ内処理手順ＲＴ４を終了する。
【０１０１】
このようにサーバ３では、被写体に対するマスタ用カメラ２Ａ及び各スレイブ用カメラ２Ｂ、２Ｃの相対位置をＧＰＳ座標に基づいて容易に求めておくことができ、この後、マルチカメラ撮影によるコンテンツデータに対するオペレータの作業効率（例えば編集効率）を格段と向上することができる。
【０１０２】
（４）本実施の形態による動作及び効果
以上の構成において、このサーバシステム１では、複数のビデオカメラ２Ａ〜２Ｃを用いたマルチカメラ撮影を行う際、１台の基準となるマスタ用カメラ２Ａと、それ以外の当該マスタ用カメラ２Ａに対して従属関係にある各スレイブ用カメラ２Ｂ、２Ｃとの間で、マルチカメラ撮影であることを示すフラグとともに、位置、及び時間を表す情報をそれぞれ撮影内容に付加するメタデータに予め記述しておく。
【０１０３】
そしてサーバ３は、マルチカメラ撮影として各ビデオカメラ２Ａ〜２Ｃから供給されるコンテンツデータがマスタ用カメラ２Ａの撮影結果であると判断した場合には、各スレイブ用カメラ２Ｂ、２Ｃの番号及びＩＤに基づいて、当該各スレイブ用カメラ２Ｂ、２Ｃごとの映像音声素材の数及びアドレスを決定した後、当該アドレスに従って映像音声素材を蓄積させる。
【０１０４】
これに対してサーバ３は、マルチカメラ撮影として各ビデオカメラ２Ａ〜２Ｃから供給されるコンテンツデータがスレイブ用カメラ２Ｂ、２Ｃの撮影結果であると判断した場合には、マスタ用カメラ２ＡのＩＤに基づいて、当該マスタ用カメラ２Ａの映像音声素材のアドレスを決定した後、当該アドレスに従って映像音声素材を蓄積させる。
【０１０５】
このようにサーバ３では、マスタ用カメラ２Ａと各スレイブ用カメラ２Ｂ、２Ｃとの間で共に同一のアドレスに従って同一時間に収録された映像音声素材を蓄積するようにしたことにより、当該蓄積された映像音声素材のみに基づいて、撮影元以外の他のビデオカメラ２Ａ〜２Ｃにより同一時間に収録された映像音声素材に容易に辿り着くことができる。
【０１０６】
かくしてサーバ３においては、複数のビデオカメラ２Ａ〜２Ｃの撮像結果であるコンテンツデータが供給されても、当該コンテンツデータに基づく映像音声素材がマスタ用カメラ２Ａ又は各スレイブ用カメラ２Ｂ、２Ｃのいずれの収録内容であるか、保存先のファイル及びその名前、収録時間等をデータベースを検索することにより自動的に識別することができる。
【０１０７】
またサーバ３においては、複数のビデオカメラ２Ａ〜２Ｃによるマルチカメラ撮影である場合、各ビデオカメラ２Ａ〜２Ｃの現在位置を表すＧＰＳ座標を、被写体ＯＢの位置を仮想的な中心座標とする相対座標にそれぞれ変換するようにしたことにより、その後の編集処理時における各ビデオカメラ２Ａ〜２Ｃの相対的な位置関係を容易に求めることができる。
【０１０８】
以上の構成によれば、このサーバシステム１では、複数のビデオカメラ２Ａ〜２Ｃ同士の主従関係と位置及び時間情報をそれぞれ撮影結果に含めておき、当該撮影結果を受け取ったサーバ３において、マスタ用カメラ２Ａと各スレイブ用カメラ２Ｂ、２Ｃとの間での位置関係及び時間関係を保持しておくと共に、同一のアドレスに従って同一時間に収録された映像音声素材を蓄積するようにしたことにより、当該蓄積された映像音声素材のみに基づいて、撮影元以外の他のビデオカメラ２Ａ〜２Ｃにより同一時間に収録された映像音声素材を容易に認識することができ、かくして編集処理を格段と向上することができるサーバシステム１を実現できる。
【０１０９】
（５）他の実施の形態
なお上述の本実施の形態においては、複数のビデオカメラ（撮影手段）２Ａ〜２Ｃから被写体ＯＢの撮影結果として得られる各コンテンツデータ（映像音声素材）Ｓ１Ａ〜Ｓ１Ｃを蓄積し、必要に応じて送出する情報送出装置として、図１に示すサーバシステム１内のサーバ３を適用した場合について述べたが、本発明はこれに限らず、この他種々の構成からなる情報送出装置に広く適用することができる。本実施の形態の場合、スレイブ用カメラ２Ｂ、２Ｃを２台設けるようにしたが、これ以外にも１台又は３台以上設けるようにしても良い。
【０１１０】
また上述の本実施の形態においては、各ビデオカメラ（撮影手段）２Ａ〜２Ｃの撮影結果でなるコンテンツデータ（映像音声素材）Ｓ１Ａ〜Ｓ１Ｃにそれぞれ共通のアドレスを割り当てておき、当該アドレスに従って各ビデオカメラ（撮影手段）２Ａ〜２Ｃごとに対応するコンテンツデータ（映像音声素材）Ｓ１Ａ〜Ｓ１Ｃをそれぞれ蓄積する蓄積手段として、映像ストレージ部２６、音声ストレージ部２７及びメタストレージ部２８を適用するようにした場合について述べたが、本発明はこれに限らず、アドレスに従って各種データを蓄積することができれば、この他種々の蓄積手段に広く適用するようにしても良い。
【０１１１】
さらに上述の本実施の形態においては、映像ストレージ部２６、音声ストレージ部２７及びメタストレージ部２８（蓄積手段）から特定のビデオカメラ（撮影手段）２Ａ〜２Ｃに対応する映像音声素材を読み出したとき、当該映像音声素材と同一時間に撮影された特定のビデオカメラ（撮影手段）２Ａ〜２Ｃ以外の他のビデオカメラ（撮影手段）２Ａ〜２Ｃに対応する映像音声素材を検索する検索手段を、サーバ３内の主としてメタデータ処理部２５及び入力部２０内のデータベース２０Ｂから構成するようにした場合について述べたが、本発明はこれに限らず、この他種々の構成からなる検索手段に広く適用するようにしても良い。
【０１１２】
さらに上述の本実施の形態においては、各ビデオカメラ（撮影手段）２Ａ〜２Ｃごとに対応するコンテンツデータ（映像音声素材）Ｓ１Ａ〜Ｓ１Ｃに付加されるメタデータ（付加情報）に基づいて、当該各ビデオカメラ（撮影手段）２Ａ〜２Ｃ同士の相対的な位置関係及び時間関係を認識する認識手段として、サーバ３内の主としてメタデータ処理部２５及び制御部（図示せず）を適用するようにした場合について述べたが、本発明はこれに限らず、要は、映像ストレージ部２６、音声ストレージ部２７及びメタストレージ部２８（蓄積手段）は、メタデータ処理部（認識手段）２５により認識された各ビデオカメラ（撮影手段）２Ａ〜２Ｃ同士の相対的な位置関係及び時間関係を、各ビデオカメラ（撮影手段）２Ａ〜２Ｃごとに対応する映像音声素材にそれぞれ付加して蓄積することができれば、この他種々の構成からなる認識手段に広く適用するようにしても良い。
【０１１３】
またマルチカメラデータのファイルは、図３に示すような、マルチカメラ（Multi Camera）のフラグ、マスタ／スレイブ（Master/Slave）のフラグ、マスタ用カメラ２Ａのときのみ各スレイブ用カメラの番号（Number of Slave）及び当該各スレイブ用カメラ２Ｂ、２ＣのＩＤ（Slave ID1、Slave ID2、…）、スレイブ用カメラ２Ｂ、２Ｃのときのみマスタ用カメラ２ＡのＩＤ（Master ID）が記述されているようにしたが、これ以外にも図１４に示すように、マルチカメラデータのファイルを、各ビデオカメラ２Ａ〜２Ｃに共通のグループＩＤ（Groupe ID）、各ビデオカメラ２Ａ〜２Ｃの番号（Number of Camera）及び当該各ビデオカメラ２Ａ〜２ＣのＩＤ（Camera ID1、Camera ID2、…）が記述されるようにしても良い。
【０１１４】
すなわち全てのビデオカメラ２Ａ〜２Ｂについて、主従関係を設けることなく、これらが同一プロジェクトであることを相互に伝達しておき、グループ内の全てのビデオカメラ２Ａ〜２Ｃをリンクさせるようにしても、当該各ビデオカメラ２Ａ〜２Ｂ同士の相対的な位置関係及び時間関係を認識することができる。
【０１１５】
また全てのビデオカメラ２Ａ〜２Ｂについて、主従関係を設けるか設けないかに関わらず、複数のグループを有する場合には、対応する各グループＩＤに対して所定の重み付けをそれぞれ設定しておき、その重み付けに基づいて検索、表示又はその他処理を行うようにしても良い。
【０１１６】
さらに上述の本実施の形態においては、各ビデオカメラ（撮影手段）２Ａ〜２Ｃにおいて測定された当該各ビデオカメラ（撮影手段）２Ａ〜２Ｃの現在位置を、特定のビデオカメラ（撮影手段）２Ａ〜２Ｃ又は被写体ＯＢを基準となる相対位置に変換する変換手段として、サーバ３内の主としてメタデータ処理部２５及び制御部（図示せず）を適用するようにした場合について述べたが、本発明はこれに限らず、要は、各ビデオカメラ（撮影手段）２Ａ〜２Ｃの相対的な位置関係を求めることができれば、この他種々の構成からなる変換手段に広く適用するようにしても良い。
【０１１７】
この場合、サーバ３においては、複数のビデオカメラ２Ａ〜２Ｃによるマルチカメラ撮影である場合、各ビデオカメラ２Ａ〜２Ｃの現在位置を表すＧＰＳ座標を、被写体ＯＢの位置を仮想的な中心座標とする相対座標にそれぞれ変換するようにした場合について述べたが、マスタ用カメラ２Ａの位置を仮想的な中心座標として各スレイブ用カメラ２Ｂ、２ＣのＧＰＳ座標を相対座標に変換するようにしても同様の効果を得ることができ、被写体ＯＢのＧＰＳ座標を求める必要がない分だけ計算を容易にし得る。
【０１１８】
さらに上述の本実施の形態において、図２に示す構成のサーバ３では、映像ストレージ部２６、音声ストレージ部２７及びメタストレージ部２８をそれぞれ別体に設けるようにした場合について述べたが、本発明はこれに限らず、これらを単一のストレージ部で蓄積するように構成しても良く、また映像データ及び音声データを同一ファイルとして取り扱うようにしても個別のファイルとして取り扱うようにしても良い。
【０１１９】
さらに上述の本実施の形態においては、編集端末装置８のディスプレイ部や表示制御装置６０のモニタ６８に表示されるＧＵＩの表示方法として、図６に示す編集画面ＥＰや図８に示すＧＵＩ画面８０のような表示方法を適用した場合について述べたが、本発明はこれに限らず、これら以外の種々の表示方法を適用するようにしても良い。
【０１２０】
例えば、複数のグループ、各グループに対応する複数のマスタ用カメラから撮影された映像音声素材及び複数のスレイブ用カメラから撮影された映像音声素材を適宜表示するようにしても良い。この場合、編集作業を行うオペレータ及びストリーミング配信を視聴するユーザは、特定のカメラで撮影した映像音声素材を適宜選択できるようにし、選択した映像音声素材を例えば、別ウィンドウなどで表示することも可能である。
【０１２１】
さらに上述の本実施の形態においては、ＧＵＩ表示をさせる機種として、編集端末装置８及び表示制御装置６０を適用し、それぞれ編集画面８０（図６）及びウェブコンテンツによるブラウザであるＧＵＩ画面８０（図８）をＧＵＩ表示させるようにした場合について述べたが、本発明はこれに限らず、これら以外の装置を適用させて種々のＧＵＩを表示させるようにしても良い。
【０１２２】
例えば、パーソナルコンピュータ、ビデオカメラ、デジタルスチルカメラ、携帯情報端末（携帯電話、携帯型ゲーム機など）及びカーナビゲーションなどをＧＵＩ表示させる機種として適用しても良い。また、カメラ付（さらにはＧＰＳ付）携帯電話のように、撮影部と撮影位置測定部が装置として一体となっている形態にも適用することができる。
【０１２３】
さらに上述の本実施の形態において、被写体を撮影する撮影手段としてビデオカメラ２Ａ〜２Ｃを適用した場合について述べたが、本発明はこれに限らず、例えば、カメラ付きパーソナルコンピュータ、ウェブカメラ及びカメラ付き携帯電話等、被写体を撮影できるものであれば種々の撮影種案に広く適用しても良い。この場合、位置情報を取得するＧＰＳは、装置として一体化、あるいはカメラと有線または無線で通信できるような形態も考えられる。
【０１２４】
さらに上述の本実施の形態において、メタデータを構成する位置情報は、ＧＰＳ（緯度及び経度）の２次元情報に限定されることなく、例えば図１に示すビデオカメラ２Ａ〜２Ｃのように、高さを含む位置情報を用いても本実施の形態を適用することができる。
【０１２５】
さらに上述の本実施の形態においては、メディア再生用の再生装置６において再生される記録媒体７として、ビデオテープを適用した場合について述べたが、本発明はこれに限らず、ビデオテープ以外にも例えば、光ディスク、光磁気ディスク、半導体メモリ及び磁気ディスク等の種々の記録媒体に広く適用することができる。
【０１２６】
さらに上述の実施の形態における一連の処理は、それぞれの機能を有するハードウェアにより実行させることもできるが、ソフトウェアにより実行させることもできる。一連の処理をソフトウェアにより実行させる場合には、そのソフトウェアを構成するプログラムが専用のハードウェアに組み込まれているコンピュータ、または、各種プログラムをインストールすることにより、各種の機能を実行することが可能な、例えば汎用のパーソナルコンピュータなどに、例えば記録媒体からインストールされる。
【０１２７】
さらに上述の本実施の形態においては、複数のビデオカメラ（撮影手段）２Ａ〜２Ｃから被写体の撮影結果として得られる各コンテンツデータ（映像音声素材）Ｓ１Ａ〜Ｓ１Ｃにそれぞれ共通のアドレスを割り当てておき、当該アドレスに従って各ビデオカメラ（撮影手段）２Ａ〜２Ｃごとに対応するコンテンツデータ（映像音声素材）Ｓ１Ａ〜Ｓ１Ｃをそれぞれ蓄積する第１のステップと、特定のビデオカメラ（撮影手段）に対応するコンテンツデータ（映像音声素材）を読み出したとき、当該コンテンツデータ（映像音声素材）と同一時間に撮影された特定のビデオカメラ（撮影手段）以外の他のビデオカメラ（撮影手段）に対応するコンテンツデータ（映像音声素材）を検索する第２のステップとをコンピュータに実行させるためのプログラムを生成するようにした場合について述べたが、本発明はこれに限らず、当該プログラムを記録したコンピュータに読み取り可能な種々の記録媒体にも適用することができる。この記録媒体としては、光ディスク、光磁気ディスク、半導体メモリ及びその他パッケージメディア等を広く適用するようにしても良い。
【０１２８】
さらに上述の本実施の形態においては、各ビデオカメラ（撮影手段）２Ａ〜２Ｃを主従関係（マスタ及びスレイブの関係）を持たせた状態でグループ化しておき、当該各ビデオカメラ（撮影手段）２Ａ〜２Ｃ同士をリンクさせるためのアドレス情報を含むメタデータ（付加情報）がそれぞれ付加された各コンテンツデータ（映像音声素材）Ｓ１Ａ〜Ｓ１Ｃを入力する入力手段を、サーバ３内の入力部２０から構成するようにした場合について述べたが、本発明はこれに限らず、この他種々の構成からなる入力手段に広く適用するようにしても良い。
【０１２９】
さらに上述の本実施の形態においては、サーバ３内の入力部（入力手段）２０により入力されたコンテンツデータ（映像音声素材）Ｓ１Ａ〜Ｓ１Ｃからメタデータ（付加情報）を取得する取得手段を、サーバ３内の多重化及び分離部２２から構成した場合について述べたが、本発明はこれに限らず、この他種々の構成からなる取得手段に広く適用するようにしても良い。
【０１３０】
さらに上述の本実施の形態においては、サーバ３内の入力部（入力手段）２０により入力されたコンテンツデータ（映像音声素材）Ｓ１Ａ〜Ｓ１Ｃと多重化及び分離部（取得手段）２２により取得された当該コンテンツデータ（映像音声素材）Ｓ１Ａ〜Ｓ１Ｃに対応するメタデータ（付加情報）とを、当該メタデータ（付加情報）に基づいて記憶する記憶手段として、メタストレージ部２８を適用した場合について述べたが、本発明はこれに限らず、この他種々の構成からなる記憶手段を広く適用するようにしても良い。
【０１３１】
さらに上述の本実施の形態においては、特定のビデオカメラ（撮影手段）に対応するコンテンツデータ（映像音声素材）Ｓ１Ａ〜Ｓ１Ｃを記憶手段から読み出した場合、当該読み出されたコンテンツデータ（映像音声素材）Ｓ１Ａ〜Ｓ１Ｃにリンクするコンテンツデータ（映像音声素材）Ｓ１Ａ〜Ｓ１Ｃを自動的に検索する検索手段を、サーバ３内のメタデータ処理部２５及びアドレス処理部２３から構成するようにした場合について述べたが、本発明はこれに限らず、この他種々の構成からなる検索手段に広く適用するようにしても良い。
【０１３２】
さらに上述の本実施の形態においては、サーバ３内のメタデータ処理部２５及びアドレス処理部２３からなる検索手段により検索されたコンテンツデータ（映像音声素材）Ｓ１Ａ〜Ｓ１Ｃを出力する出力手段を、サーバ３内の入力部２０から構成するようにした場合について述べたが、本発明はこれに限らず、この他種々の構成からなる出力手段に広く適用するようにしても良い。
【０１３３】
さらに上述の本実施の形態においては、各コンテンツデータ（映像音声素材）Ｓ１Ａ〜Ｓ１Ｃに付加されるメタデータ（付加情報）は、それぞれ対応するビデオカメラ（撮影手段）２Ａ〜２Ｃが撮影する際の時間情報及び位置情報を含むと共に、当該各時間情報は、対応する各ビデオカメラ（撮影手段）２Ａ〜２Ｃ同士で一致させるように設定され、多重化及び分離部（取得手段）２２により各コンテンツデータ（映像音声素材）Ｓ１Ａ〜Ｓ１Ｃからそれぞれ取得されたメタデータ（付加情報）に基づいて、当該各コンテンツデータ（映像音声素材）Ｓ１Ａ〜Ｓ１Ｃに対応する各ビデオカメラ（撮影手段）２Ａ〜２Ｃ同士の相対位置関係及び相対時間関係を認識する認識手段として、サーバ３内のメタデータ処理部２５を適用し、メタストレージ部（記憶手段）２８は、メタデータ処理部（認識手段）２５により認識された各ビデオカメラ（撮影手段）２Ａ〜２Ｃ同士の相対位置関係及び相対時間関係を、各ビデオカメラ（撮影手段）２Ａ〜２Ｃに対応するコンテンツデータ（映像音声素材）Ｓ１Ａ〜Ｓ１Ｃにそれぞれ付加して記憶するようにした場合について述べたが、本発明はこれに限らず、要は、各ビデオカメラ（撮影手段）２Ａ〜２Ｃ同士の相対位置関係及び相対時間関係を、当該各ビデオカメラ（撮影手段）２Ａ〜２Ｃに対応するコンテンツデータ（映像音声素材）Ｓ１Ａ〜Ｓ１Ｃにそれぞれ付加して記憶することができれば、その他種々の構成からなる認識手段及び記憶手段に広く適用するようにしても良い。
【０１３４】
さらに上述の本実施の形態においては、複数のビデオカメラ（撮影手段）２Ａ〜２Ｃから被写体の撮影結果として得られる各コンテンツデータ（映像音声素材）Ｓ１Ａ〜Ｓ１Ｃを表示する表示制御装置として、図７に示す構成の表示制御装置６０を適用した場合について述べたが、本発明はこれに限らず、この他種々の構成からなる表示制御装置に広く適用するようにしても良い。
【０１３５】
かかる上述した図７に示す表示制御装置６０では、各ビデオカメラ（撮影手段）２Ａ〜２Ｃを主従関係を持たせた状態でグループ化しておき、当該各ビデオカメラ（撮影手段）２Ａ〜２Ｃ同士をリンクさせるためのアドレス情報を含むメタデータ（付加情報）がそれぞれ付加された各コンテンツデータ（映像音声素材）Ｓ１Ａ〜Ｓ１Ｃから当該メタデータ（付加情報）をそれぞれ取得する取得手段として、ＣＰＵ６１を適用し、ＣＰＵ（取得手段）６１により取得された各メタデータ（付加情報）に基づいて、対応する各コンテンツデータ（映像音声素材）Ｓ１Ａ〜Ｓ１Ｃを連動させる状態で表示させる表示制御手段として、画像処理部６９及びモニタ６８を適用した場合について述べたが、本発明はこれに限らず、このような表示方法を実現できればこの他種々の構成からなる取得手段及び表示制御手段を広く適用するようにしても良い。
【０１３６】
さらにかかる上述した図７に示す表示制御装置６０では、各コンテンツデータ（映像音声素材）Ｓ１Ａ〜Ｓ１Ｃに付加されるメタデータ（付加情報）は、それぞれ対応するビデオカメラ（撮影手段）２Ａ〜２Ｃが撮影する際の時間情報及び位置情報を含み、取得手段により各コンテンツデータ（映像音声素材）Ｓ１Ａ〜Ｓ１Ｃからそれぞれ取得されたメタデータ（付加情報）に基づいて、当該各コンテンツデータ（映像音声素材）Ｓ１Ａ〜Ｓ１Ｃに対応する各ビデオカメラ（撮影手段）２Ａ〜２Ｃ同士の相対位置関係及び相対時間関係を認識する認識手段としてＣＰＵ６１を適用し、画像処理部６９及びモニタ６８からなる表示制御手段は、ＣＰＵ（認識手段）６１により認識された相対位置関係及び相対時間関係に基づいて、各コンテンツデータ（映像音声素材）Ｓ１Ａ〜Ｓ１Ｃを選択的に表示させるようにした場合について述べたが、本発明はこれに限らず、このような表示方法を実現できればこの他種々の構成からなる認識手段を広く適用するようにしても良い。
【産業上の利用可能性】
【０１３７】
本発明は、情報送出装置、情報送出方法、プログラム及び記録媒体並びに表示制御装置及び表示方法において、サーバ以外にも種々のデータを蓄積可能な情報送出装置に広く適用することができる。
【図面の簡単な説明】
【０１３８】
【図１】本実施の形態によるサーバシステムの構成を示すブロック図である。
【図２】図１に示すサーバの内部構成を示すブロック図である。
【図３】本実施の形態によるサーバのファイルシステムの説明に供する略線図である。
【図４】相対座標への変換処理の説明に供する略線的な平面図である。
【図５】図１に示す編集端末装置の構成を示すブロック図である。
【図６】編集画面の表示状態の説明に供する略線的な平面図である。
【図７】表示制御装置の構成を示すブロック図である。
【図８】ウェブコンテンツにおけるＧＵＩ画面の表示状態の説明に供する略線的な平面図である。
【図９】撮影準備処理手順の説明に供するフローチャートである。
【図１０】撮影時処理手順の説明に供するフローチャートである。
【図１１】サーバ内処理手順の説明に供するフローチャートである。
【図１２】サーバ内処理手順の説明に供するフローチャートである。
【図１３】サーバ内処理手順の説明に供するフローチャートである。
【図１４】他の実施の形態によるサーバのファイルシステムの説明に供する略線図である。
【符号の説明】
【０１３９】
１……サーバシステム、２Ａ〜２Ｃ……ビデオカメラ、３……サーバ、８……編集端末装置、９……放送配信サーバ、１０……エンコーダ、１１……ウェブサーバ、１２……記録装置、２０……入力部、２０Ａ……インターフェース部、２０Ｂ……データベース、２１……コマンド処理部、２２……多重化及び分離部、２３……アドレス処理部、２４……データ変換処理部、２５……メタデータ処理部、２６……映像ストレージ部、２７……音声ストレージ部、２８……メタストレージ部、３１……コンピュータ、４１、６１……ＣＰＵ、６０……表示制御装置、６８……モニタ、ＲＴ１…撮影準備処理手順、ＲＴ２……撮影時処理手順、ＲＴ３、ＲＴ３、ＲＴ４……サーバ内処理手順。
【図１】
2005341064.tif 000003
【図２】
2005341064.tif 000004
【図３】
2005341064.tif 000005
【図４】
2005341064.tif 000006
【図５】
2005341064.tif 000007
【図６】
2005341064.tif 000008
【図７】
2005341064.tif 000009
【図８】
2005341064.tif 000010
【図９】
2005341064.tif 000011
【図１０】
2005341064.tif 000012
【図１１】
2005341064.tif 000013
【図１２】
2005341064.tif 000014
【図１３】
2005341064.tif 000015
【図１４】
2005341064.tif 000016